Podtech/llm-jp-corpus-v4-ja_patent huggingface dataset:
(57)【要約】      （修正有）【課題】アイブローペンシルと同程度の極小形状で、何処でも人目を気にせずにイオン美容が実施可能なイオン美容装置を提供する。【解決手段】極細の電池３を使用し、該電池３の陽極と陰極に電気的に接触可能な構造を有する陽極導電体１と陰極導電体４を直線上に間隔を空け配置し、前記陽極導電体１と陰極導電体４を絶縁構造体２を介して機械的に結合し、一体化した構造として実現した。【選択図】図１
2011255125.tif 000002
【特許請求の範囲】
【請求項１】
電池と、該電池の陽極と陰極に電気的に接触可能な構造を有する陽極導電体と陰極導電体を直線上に間隔を空け配置し、前記陽極導電体と陰極導電体を絶縁構造体を介して機械的に結合し、一体化した構造を特徴とするイオン美容装置。
【請求項２】
前記陽極導電体と陰極導電体として導電ゴムまたは導電プラスチックまたは金属を用い、前記陽極導電体と陰極導電体を同一外形とし、前記絶縁構造体上にイオン導入・導出の方向を表示した請求項１記載のイオン美容装置。
【発明の詳細な説明】
【技術分野】
【０００１】  本発明は、肌面の美容向上を可能とした、超小型のイオン美容装置に関する。
【背景技術】
【０００２】  従来から、肌面の美容効果を得るため、刺激電流を通電するイオン美容装置が市販され人気を博している。【０００３】  これらの製品は、乾電池等の一次電池や商用電源により充電される二次電池を電源として作動しているものが大部分を占める。【０００４】  電池を電源としているので、本来使用場所を限定されないはずであるが、形状的な理由により、実際に使用される場所はプライバシーの保てる場所、即ち自宅に限定されているのが現状である。（例えば非特許文献１）
【先行技術文献】
【非特許文献】
【０００５】
【非特許文献１】  東芝イオン導入器アクワパフＷＥＢ
【発明の概要】
【発明が解決しようとする課題】
【０００６】  以上に記した従来のイオン美容装置では、電池を電源としているにもかかわらず、形状が大きいため、使用する場所が自宅に限定されてしまう欠点を有し、価格も高価である。【０００７】  本発明は、このような従来のイオン美容装置が有していた問題を解決しようとするものであり、アイブローペンシルと同程度の形状で、他の化粧品と共に化粧ポーチに入れ、何処でも目立たぬようにイオン美容が実施可能な、安価なイオン美容装置を提供することを目的とする。
【課題を解決するための手段】
【０００８】  本発明は、上記目的を達成するために、主として夜釣りの浮き照明用に使用されている極細の電池（例えばパナソニックＢＲ４３５）を使用し、該電池の陽極と陰極に電気的に接触可能な構造を有する陽極導電体と陰極導電体を直線上に間隔を空け配置し、前記陽極導電体と陰極導電体を絶縁構造体を介して機械的に結合し、一体化した構造とした。【０００９】  前記陽極導電体と陰極導電体及び絶縁構造体自体がイオン美容装置の外形を形成していて、前記陽極導電体と陰極導電体は外形的に同一形状となっている。【００１０】  前記絶縁構造体上にはイオン導入・導出の方向が表示されており、前記陽極導電体あるいは陰極導電体のいずれを握るかにより、イオン導入あるいはイオン導出が選択可能となっている。
【発明の効果】
【００１１】  本発明によれば上記したごとく、アイブローペンシルと同程度の極小形状で、他の化粧品と共に化粧ポーチに入れ、何処でも人目を気にせずにイオン美容が実施可能で、加えて表示に従って陽極導電体あるいは陰極導電体のいずれを握るかにより、イオン導入あるいはイオン導出が選択可能な、安価なイオン美容装置を提供することが可能となる。
【図面の簡単な説明】
【００１２】
【図１】  本発明の一実施例で、一部断面で示す概略図ある。
【図２】  本発明の一実施例を示す外観図である。
【発明を実施するための形態】
【００１３】  本発明は、主として夜釣りの浮き照明用に使用されている極細の電池（例えばパナソニックＢＲ４３５）を使用し、該電池の陽極と陰極に電気的に接触可能な構造を有する陽極導電体と陰極導電体を直線上に間隔を空け配置し、前記陽極導電体と陰極導電体を絶縁構造体を介して機械的に結合し、一体化した構造とした。
【実施例】
【００１４】  図１は、本発明の一実施例を示す概略図であって、電池３以外の陽極導電体１、陰極導電体４及び絶縁構造体２は断面で示されている。【００１５】  陽極導電体１は円柱状で、その中心部には電池３の陽極端子が嵌合可能に穿孔が施されている。【００１６】  また、陰極導電体４も円柱状で、その中心部には電池３の陰極端子が嵌合可能に穿孔が施されている。【００１７】  絶縁構造体２はパイプ状のプラスチックでできており、両端は接着または嵌合により、陽極導電体１及び陰極導電体４と接合され一体化されている。【００１８】  陽極導電体１、陰極導電体４を構成する素材は導電ゴム、導電プラスチック及び金属が適しているが、金属アレルギーを回避するため、導電ゴム、導電プラスチックに充填する導電物質は金属ではなく、カーボンブラックが望ましい。【００１９】  また、金属としては金属アレルギーの恐れの少ない、チタンまたはチタンコーティング材が望ましい。【００２０】  陽極導電体１、陰極導電体４を構成する素材に導電ゴム、導電プラスチックを用いた場合、素材に適度な柔軟性があり、電気的接触が良好に保たれる。【００２１】  また同時に、適度な電気抵抗を有しているので、何らかの原因で陽極導電体１と陰極導電体４がショートした場合でも、過大電流の発生を抑制することが可能である。【００２２】  図２は、本発明の一実施例を示す外観図であって、プラスチックで構成された絶縁構造体２の表面には導入及び導出の文字が互いに逆さになるように印字されている。【００２３】  従って、陰極導電体４側を握り、陽極導電体１側を顔面に当てた場合は、導出の文字が正立して見えるイオン導出状態、逆に陽極導電体１側を握り、陰極導電体４側を顔面に当てた場合は、導入の文字が正立して見えるイオン導入状態となる。【００２４】  本発明によるイオン美容装置は小型で安価にするため、電源スイッチを設けていないので、意図せぬ陰極導電体４と陽極導電体１間のショートを防止する策として、保管中は陰極導電体４または陽極導電体１を絶縁キャップで覆う、あるいはイオン美容装置全体を絶縁ケースに収納する対策を講じると安全である。【００２５】  上記説明のとおり、本発明によればアイブローペンシルと同程度の極小形状で、他の化粧品と共に化粧ポーチに入れ、何処でも人目を気にせずにイオン美容が実施可能で、加えて表示に従って陽極導電体あるいは陰極導電体のいずれを握るかにより、イオン導入あるいはイオン導出が選択可能な、安価なイオン美容装置を提供することが可能となる。
【産業上の利用可能性】
【００２６】  イオン導入効果を発揮する装置であるので、美容関係以外の、医療用経皮薬剤の速やかな浸透をアシストする装置として利用できる可能性がある。
【符号の説明】
【００２７】１    陽極導電体                ２    絶縁構造体
３    電池                      ４    陰極導電体
【図１】
2011255125.tif 000003
【図２】
2011255125.tif 000004
(57)【要約】【課題】紙の封筒などを使う袋分け家計管理は（１）耐久性に乏しい、（２）複数の封筒（または財布）を持ち歩かなければならない、（３）ポイントカードの収納が困難である等の問題があった。それらの問題を解決し、家計改善効果と使い勝手を高めた財布である。【解決手段】財布内部の仕切りを３つ以上つくり、そのうちの２つ以上を小銭等が保管できる小銭等収納機能付き仕切りにした。小銭等収納機能付き仕切りのうち２つにファスナーを設置し、その内部に仕切りを設けることにより小銭も分別できるようになっている。これらの工夫により、１つの財布で４つの袋を持ち歩くのと同等以上の家計改善効果が期待される。なお、各仕切りには６枚以上のカードを収められるカード収納ポケットを設置したことで、ポイントカード等の収納問題も解決した。【選択図】図１
2011255126.tif 000002
【特許請求の範囲】
【請求項１】
紙幣を収納できる財布に少なくとも３つ以上の仕切りをつくり、そのうちの２つ以上に小銭用ファスナーを装着することで仕切り兼小銭入れとし、紙幣収納スペースの片面には費目シート収納部を、その対面にはポイントカード等を６枚以上収納できるカード収納部等を設けた財布。
【発明の詳細な説明】
【技術分野】
【０００１】  この発明は、家計費を区分けして管理できる財布に関するものである。
【背景技術】
【０００２】  従来は銀行などに置いてある紙の封筒などを利用して、毎月の家計費のうち現金で支払う分を費目ごとに仕分けしていた。
紙の袋を使って予算を振り分けることから、袋分けなどと呼ばれている。
【発明の概要】
【発明が解決しようとする課題】
【０００３】  従来の紙の封筒などには以下の問題点があった。
（イ）耐久性に乏しい。
（ロ）複数の封筒などを持ち歩かなければならない。
（ハ）見た目が悪い。
（ニ）ポイントカードなどのカード類が取り出しにくい。
本発明は、以上の欠点を解決するために発明したものである。
【課題を解決するための手段】
【０００４】  財布本体の内部に、紙幣を収納するための仕切りを３つ以上つくり、そのうちの２つの仕切りに小銭用ファスナー（１）を設ける。
小銭用ファスナーを装着した２つの仕切りの間に、ファスナーを装備しない仕切り（２）を１つ以上設ける。
紙幣を収納するスペースの片面に費目シート収納部（３）を、もう片面に６枚以上のポイントカード等が収められるカード収納部（４）を設ける。
小銭用ファスナーを装着した仕切りの内部にはさらに仕切りを設けて、小銭用ファスナーを装着した仕切り１つにつき、小銭を２つに分別できるようにする。
本発明は、以上の構成によりなる財布である。
【発明の効果】
【０００５】  紙幣の仕切りと小銭入れを合体させることにより、一般の財布と変わらない使用感・見た目で、袋分けと同等以上の効果を得られる。
カード収納部は４面以上あり、１面で６枚以上のカードを収められるため、２４枚以上のポイントカード等を収納することができる。
小銭用ファスナーを装着した仕切りの内部にさらに仕切りを設け、その両脇に紙幣収納部を作ったことによって、用途に応じた現金を４つ以上に分けて持ち歩くことができる。
【図面の簡単な説明】
【０００６】
【図１】  本発明の斜視図である
【図２】  本発明の斜視図である
【発明を実施するための形態】
【０００７】  以下、本発明を実施するための最良の形態について説明する。
（イ）財布本体の内部に３つ以上の紙幣の仕切りを設け、その仕切りを二重構造にする。
（ロ）二重構造にした仕切りのうち、２つ以上の仕切りに小銭ファスナー（１）を装着し、その内部にもう１つ小銭区分用の仕切りをつくる。
（ハ）小銭ファスナーを装着した２つの仕切りの間に、二重構造だがファスナーを装備しない仕切り（２）を１つ以上つくり、チケット等を納められる収納部とする。
（ニ）紙幣収納部分の片面には、「食費」「交際費」「医療費」などの費目を書いた紙を収められる費目シート収納部（３）を１面につき１つ設置する。
（ホ）紙幣収納部で費目シート収納部（３）と対面にある面に、１面につき６枚以上のポイントカード等を収められるカード収納部（４）を設ける。
（ヘ）費目シート収納部（３）とカード収納部（４）はそれぞれ４つ以上設置する。
本製品は以上のような構成で、これを使用するときには、あらかじめ振り分けておいた予算相当の現金を４つ以上に分けて管理でき、かつ、小銭、紙幣、ポイントカード等を用途別に分けて保管できるので、複数の財布を持ち歩いているのと同等以上の家計改善効果が期待できる。
その他、ボールペンなどの筆記具を入れるペン収納部（５）や、各種シート・写真などを収納できるシート収納部（６）も設ける。
【符号の説明】
【０００８】    １  小銭ファスナー
２  ファスナーを装備しない仕切り
３  費目シート収納部
４  カード収納部
５  ペン収納部
６  シート収納部
【図１】
2011255126.tif 000003
【図２】
2011255126.tif 000004
(57)【要約】【課題】  本発明は、机、書籍棚、冷蔵庫、厨房、作業場、その他の内外の空間に上、下、左、右、身近な場所へ自在に装着することにより、日常に必要とする小間物を収納、処理が容易にできて利活用され目的成就を図るための取り付け自在小間物入れ器を提供する。【解決手段】  本発明の外枠と中引き出し部を正方形にし、外枠の一側面に、鉄製の所であれば、上、下、左、右、磁石面により自在に装着できるように磁石を設け、磁石の両端に突出部とその一部に穴を設けて、磁石の効かない所でもネジ釘等で装着できるように工夫したことが特徴の取り付け自在小間物入れ器。【選択図】図１
2011255130.tif 000002
【特許請求の範囲】
【請求項１】
外枠と中引き出し部を正方形にし、外枠の一側面に鉄製の所であれば、上、下、左、右、磁石面により自在に装着できるように磁石を設け、磁石の両端に突出部とその一部に穴を設けて、磁石の効かない所でもネジ釘等で装着できるように工夫したことが特徴の取り付け自在小間物入れ器。
【発明の詳細な説明】
【技術分野】
【０００１】  本発明は、外枠と中引き出し部を正方形にし、外枠の一側面に、鉄製の所であれば、上、下、左、右、磁石面により自在に装着できるように磁石を設け、磁石の両端に突出部とその一部に穴を設けて、磁石の効かない所でもネジ釘等で装着できるようにして、机、書籍棚、冷蔵庫、厨房、作業場、その他の空間に上、下、左、右、身近な場所へ自在に装着し、日常に必要とする小間物を収納、処理して自由に活用ができるように工夫した取り付け小間物入れ器に関するものである。
【背景技術】
【０００２】  従来は、一定の場所で机、たん笥等の引き出しに日常の小間物を雑多に入れて処理し活用しているのが現状である。
だから、目的に応じて、身近で必要な場所で対処することができなかったり、ちょっとした小間物を処理するためのふさわしい小間物入れ器がない等の問題があった。
【発明の概要】
【発明が解決しようとする課題】
【０００３】  そのために、次のような問題点がある。
（イ）使用したい時に、必要とする小間物が身近になかったりの不便があった。
（ロ）日常で必要な小間物が沢山ある中で、一定の場所で雑多に収納しているため、必要    なときになかなか取り出せない不便があった。
（ハ）小間物を使用したり、使用後の管理等に不便を生じた。
（ニ）目的別に身近で整理し、処理、活用を図ることができなかった。
（ホ）身近の空間が合理的に活用できない。
本発明は以上の問題点を解決するためになされたものである。
【課題を解決するための手段】
【０００４】  上記問題点を解決するため、本発明は、外枠と中引き出し部を正方形にし、外枠の一側面に、鉄製の所であれば、上、下、左、右、磁石面により自在に装着できるように磁石を設ける。
磁石の両端に突出部とその一部に穴を設けて、磁石の効かない所でもネジ釘等で装着できる。
本発明は以上の構成よりなる取り付け自在小間物入れ器である。
【発明の効果】
【０００５】  本発明は、机、書籍棚、冷蔵庫、厨房、作業場、その他の内外の身近な空間に状況に応じて上、下、左、右、必要な場所へ自在に装着することができ、日常生活で必要とする小間物を目的により整理し身近に収納して利活用することにより、作業を合理的に快適に推進し能率と生活の向上を図ることができる。
日常生活の中で、ちょっとした小間物が必要とするとき、なかなか間に合わず不便を感じる状態が多々生じているのが実態で、本発明を活用することにより、スムースに解決を図ることができる。
他にもいろいろな面での便利に活用できるものである。
その他、種々の場面で利活用することができて大きな効果がある。
【図面の簡単な説明】
【０００６】
【図１】  本発明の斜視図である。
【発明を実施するための形態】
【０００７】  以下、本発明の実施の形態について説明する。
外枠（１）と中引き出し部（２）を正方形にし、外枠（１）の一側面に磁石（３）を設ける。
鉄製の所であれば上、下、左、右、磁石面により自在に装着でき、正方形のため磁石（３）の装着状態により中引き出し部（２）を外枠（１）に合わせて変えることができて、どこでも活用可能にしたものである。
中引き出し（２）に、取手（６）を設ける。
また、磁石（３）の両端に突出部（４）とその一部に穴（５）を設ける。
磁石の効かない所でもネジ釘等で装着できるようにする。
机、書籍棚、冷蔵庫、厨房、作業場、その他の内外の身近な空間に上、下、左、右、必要とする場所へ自在に装着する。
本発明は以上の構成よりなる取り付け自在小間物入れ器である。
本発明を使用するときは、机、書籍棚、冷蔵庫、厨房、作業場、その他の内外の身近な空間を利用して、上、下、左、右、必要とする場所へ自在に装着して、日常に必要な小間物を処理、収納して目的成就のため利活用をすることができる。
【符号の説明】
【０００８】１    外枠
２    中引き出し部
３    磁石
４    突出部
５    穴
６    取手
【図１】
2011255130.tif 000003
(57)【要約】【課題】末梢神経が事故や手術で切断、切除された場合、神経再生チューブを用いることによって生体神経の再生を図り、さらにカウザルギー（灼熱痛）や複合性局所疼痛症候群（ＣＲＰＳ）の除去等をも提供することを課題とする。【解決手段】生体内において神経が繋がる時間及び人工チューブが溶解する時間的な問題点を解決するため、当該チューブの表面をＰＧＡ（ポリグリコール酸）で組成し、またチューブ内部は、豚の表皮から採取できるコラーゲンを熱脱水架橋処理（摂氏１５０度を２４時間以上）し、さらに上記ＰＧＡの縫合糸を京都西陣織の技術をマイクロサージャリー技術に応用した製法を採用し、チューブ内部のコラーゲン層は、酸素抽出により得られた抗原性を持たないコラーゲンを熱コントロールのみで３次元構造に加工成形することとする。【特許請求の範囲】
【請求項１】
人工チューブの表面をＰＧＡ（ポリグリコール酸）で組成し、またチューブ内部は、豚の表皮から採取できるコラーゲンを熱脱水架橋処理（摂氏１５０度を２４時間以上）したものとしたこと。
【請求項２】
人工チューブにおけるＰＧＡの縫合糸を京都西陣織の技術を用いたこと。
【請求項３】
人工チューブ内部のコラーゲン層は、酸素抽出により得られた抗原性を持たないコラーゲンを熱コントロールのみで３次元構造に加工成形することとしたこと。
【発明の詳細な説明】
【技術分野】
【０００１】本発明は、人工チューブを用いて生体の神経を再生させるための医療機器に関する。
【背景技術】
【０００２】従来の生体の神経再生医療における人工チューブは、末梢神経が事故や手術で切断、切除された場合、体内の他の場所から神経を取って移植することが行われてきたが、長さや太さがうまく合わず、十分な機能を果たせないことも多かった（自家移植）。【０００３】また、従来の再生医療の目的は、体性幹細胞を骨髄から摘出し、血管や神経に分化させ、当該再生物を生体内に戻すことにより、人体の自己修繕機能を期待して臓器や神経を作り上げるということであり、倫理的な問題点も多く指摘してきた。【０００４】これらの事情から神経の再生を目的とした人工チューブが開発されたが、それらのチューブを体内に入れた場合、当該チューブが体内に残留、または溶解する時間が遅すぎる等の理由から、神経の正常な機能を阻害し、神経作用の十分な復元をなすことが極めて困難であり、術後の患者がカウザルギー（灼熱痛）や複合性局所疼痛症候群（ＣＲＰＳ）と呼ばれる痛みに長年苦しめられるなどの問題点も臨床例として多数指摘されていた。【０００５】その他、神経が欠落した箇所（ギャップ）の長さによって対応できない製品も多く、再生医療現場の需要に十分応えているとは言い難い状況であった。
【先行技術文献】
【特許文献】
【０００６】
【特許文献１】特許公開２００８−２００２９９
【特許文献２】特許公開２００５−２３７４７６
【特許文献３】特許公開２００５−１４３９７９
【特許文献４】特許公開２００３−１９１９６
【特許文献５】特許公開２００２−７８７９２
【発明の概要】
【発明が解決しようとする課題】
【０００７】本発明は、上記のような従来の再生医療における人工チューブの組成物の改善、及び当該チューブの持つ問題点を解決しようとするものであり、チューブを組成する成分及び組成方法をより人体に親和性のあるものに改良し、さらなる再生医療の効果を目指すこととを目的とするものである。【０００８】生体における神経欠損部架橋材料である人工神経に求められる特徴は、▲１▼生体適合性がよく、内腔への瘢痕組織の侵入を防げること、▲２▼生体吸収性が神経欠損部の架橋形成まで残存すること、▲３▼再生神経が接着できるよう表面積が大きく、軸索の伸張しやすい表面状態をもつこと、▲４▼圧迫されても狭窄しない力学強度と弾性があること、▲５▼直系と壁の厚さ、長さが自由に採型できること、▲６▼老廃物を破棄し酸素や栄養を補給できるよう物質透過性がよく、内腔へ血管が侵入可能であることが条件とされているところ、本発明は、これらの諸条件も満たすものである。
【課題を解決するための手段】
【０００９】生体内において神経が繋がる時間及び人工チューブが溶解する時間的な問題点を解決するため、当該チューブの表面をＰＧＡ（ポリグリコール酸）で組成し、またチューブ内部は、豚の表皮から採取できるコラーゲンを熱脱水架橋処理（摂氏１５０度を２４時間以上）したものとした。【００１０】上記ＰＧＡの縫合糸を京都西陣織の技術をマイクロサージャリー技術に応用した製法を採用した。【００１１】チューブ内部のコラーゲン層は、酸素抽出により得られた抗原性を持たないコラーゲンを熱コントロールのみで３次元構造に加工成形することとした。
【発明の効果】
【００１２】当該チューブを利用することによって患者は、自身の神経の再生が活性化されるため、神経機能の回復制度が高く、副作用や拒絶反応が殆どみられず、ＣＲＰＳや灼熱痛などの神経起因の痛みの緩和及び除去も期待できる。【００１３】チューブ製法に西陣織技術を採用したことにより、チューブの耐久制度及び溶解時間の調整が可能となり、ギャップ対応が５ミリメートルから１５０ミリメートルまで幅広く適用でき、自家移植に対応せざるを得ないような長さのギャップにも適用が可能となった。【００１４】また、ＰＧＡの機能が西陣織技術におけるチューブ製法と相まって、生体内に長期間当該チューブが残留することなく、結合組織の防壁としての過度の役割を防止することが可能となった。
【発明を実施するための形態】
【００１５】この発明の好ましい実施形態として、人工チューブの直系を０．７ミリメートルから１３ミリメートル程度とし、切断された神経を当該チューブの両側から挿入する形態が挙げられる。
【００１６】事故等で切断された神経は、両端の形状が一定ではないため、先ず神経の正常な形状部分のみを残し、その余を切断し、正常な形状として残留した神経同士を当該チューブで繋ぎ断絶された神経同士が当該チューブ内で結合するための「場」を提供するための手術を施すことで上記の効果が期待できる。
【実施例】
【００１７】２００２年３月から臨床実験として、約３０例の患者に本発明を使用した結果、極めて良好な結果を得ることができた。【００１８】例えば、直腸癌の手術で合併切除された下腿の閉鎖神経２５ミリメートルの接合例では、１ヶ月で運動と知覚を回復し、外傷例では、手指の神経接合部に激痛が続いていた患者の場合、手術後に疼痛は即刻消失し、１ヶ月程度の後には知覚運動が回復している。
【産業上の利用可能性】
【００１９】事故や手術で神経を切断・損傷して、その機能を失う患者は国内だけでも毎年２５万人にものぼり、これだけの患者に対してＣＲＰＳや灼熱痛の緩和・除去及び神経接合による知覚運動の回復といった効果が得られるようになれば、患者の生活改善に大いに役立つことが期待され、以て産業上の利用性がある。
(57)【要約】【課題】  この発明は、格闘技用グローブを衛生的に使用するための、格闘技用抗菌、防臭グローブを提供する。【解決手段】  グローブ内部のクッション部（１）とクッション保護シート部（２）に抗菌、防臭機能をもたせたことを特徴とする格闘技用抗菌、防臭グローブ。【選択図】図１
2011255128.tif 000002
【特許請求の範囲】
【請求項１】
グローブ内部のクッション部（１）とクッション保護シート部（２）に抗菌、防臭機能をもたせたことを特徴とする格闘技用抗菌、防臭グローブ。
【発明の詳細な説明】
【技術分野】
【０００１】  この発明は、格闘技用グローブを衛生的に使用するための、格闘技用抗菌、防臭グローブに関するものである。
【背景技術】
【０００２】（イ）従来、金属棒やプラスチック板材料などの硬質材料で構成された頭部保護面防具を    打撃するための格闘技用グローブにおいて、従来の格闘技用グローブと比べ安全、保    護効果が持続、脱着が容易な格闘技用グローブがあった（特許文献・参照）。
（ロ）武道用グローブに使用するクッション部材が硬質クッション、軟質クッション、低    密度クッションの複合構造になっていて、従来の格闘技用グローブと比べ安全、保護    効果が持続する格闘技用グローブがあった（特許文献・）。
【先行技術文献】
【０００３】
【特許文献１】  特開平２１−１６００４１号公報
【特許文献２】  特開平１９−６８９７３号公報
【発明の概要】
【発明が解決しようとする課題】
【０００４】  格闘技用グローブには、次のような欠点があった。
安全性が考えられているのは良いが長い間使っていくうえで丸洗いできないため、グローブ内部に雑菌の繁殖による悪臭がして、不衛生である。
また、手入れが面倒なうえに保管するとき室内にも嫌な臭いがする。
特に格闘技ジムなどの備品は、不特定多数の人が使用する上に数が多いので夏場は悪臭がする。本発明は、以上のような欠点をなくすためになされたものである。
【課題を解決するための手段】
【０００５】  本発明は、グローブ内部のクッション部（１）、クッション保護シート部（２）にバイオシルを使用することによって雑菌の増殖を抑制し、腐敗による悪臭を防ぎ、いつも清潔に使うことができる。
バイオシルは、東レ・ダウコーニング株式会社の登録商標で、厳しいことで知られる米国環境保護局の認可を受けた安全性の高い抗菌防臭加工として直接肌に触れる衣類に多く使用されている。
また、商品名の銀世界（登録商標）は、銀イオンなどを繊維自体に練りこむことにより、接触した雑菌を不活化し、生育を抑えることができる。
それで、手入れも簡単で臭わない。
前記のように、衛生的に使用できることを特徴の銀世界を格闘技用の抗菌、防臭グローブに利用する。
銀世界は、徳島大学工学部生物工学科高麗寛紀研究室、東洋紡共同開発したものである。
【発明の効果】
【０００６】  本発明を使用することによって、特別な準備や動作が必要なくいやな臭いを抑えられるので、手入れが簡単、保管場所にも困らない。
【図面の簡単な説明】
【０００７】
【図１】  本発明の断面図である。
【発明を実施するための形態】
【０００８】  以下、本発明を実施するための形態について説明する。
格闘技用グローブ内部のクッション部（１）、クッション保護シート部（２）は、吸収力の強い素材の、バイオシルや銀世界などを使用して繊維自体に抗菌、防臭機能をもたせる。
手入れが簡単で、抗菌、防臭機能を長持ちさせられると同時に悪臭を抑えるために使用後、毎回、除菌スプレーなどで手入れをしなければいけない従来のグローブと区別することができる。
以上のように構成された格闘技用抗菌、防臭グローブである。
本発明をしようするときは、特別な準備や動作が必要なく、通常の使用で効果が得られるので大変便利である。
【符号の説明】
【０００９】      １  クション部
２  クッション保護シート部
３  外部合成皮部
【図１】
2011255128.tif 000003
(57)【要約】【課題】  洗濯物を外に干している時雨の降り出しに気がつかず洗濯物が濡れてしまっていた。出かける時、今は晴れているがその後の天気の変化が心配、またちょっと買い物に行きたいがにわか雨が心配で洗濯物を出しっぱなしにできない。本発明は洗濯物濡れ防止を目的とする物干しハンガー用傘を提供する。【解決手段】  傘の骨組を４５度ぐらいの間隔で７か所くらいに設け、１か所を骨の替わりにファスナーにして開閉式にし、中心部に止め具をつけ、傘の対向的な２本の骨の適所に吊り下げ具をつけ、フックで竿に吊り下げて安定させることを特徴とする物干しハンガー用傘である。【選択図】図１
2011255132.tif 000002
【特許請求の範囲】
【請求項１】
傘の骨組を４５度ぐらいの間隔で７か所くらいに設け、１か所を骨の替わりにファスナーにして開閉式にし、中心部に止め具をつけ、傘の対向的な２本の骨の適所に吊り下げ具をつけ、フックで竿に吊り下げて安定させることを特徴とする物干しハンガー用傘。
【発明の詳細な説明】
【技術分野】
【０００１】  本発明は洗濯物干しハンガーに関するものである。
【背景技術】
【０００２】  従来くもり空で雨が降るか降らないかわからないあやふやな天気の時でも、洗濯物を雨を気にしながら外に干していた。
【発明の概要】
【発明が解決しようとする課題】
【０００４】  洗濯物を外に干していて雨の降り出しに気がつかず洗濯物が濡れてしまっていた。出かける時、今は晴れているがその後の天気の変化が心配、またちょっと買い物に行きたいがにわか雨が心配で洗濯物を出しっぱなしにできない。
本発明は以上の問題点を解決するものである。
【課題を解決するための手段】
【０００５】  傘の骨組を４５度ぐらいの間隔で７か所くらいに設け、１か所を骨の替わりにファスナーにして開閉式にする。中心部に止め具をつけ、傘の対向的な２本の骨の適所に吊り下げ具をつけ、フックで竿に吊り下げて安定させることを特徴とする物干しハンガー用傘である。
【発明の効果】
【０００６】  本発明により雨の降り出しに気がつかなくても洗濯物が濡れずにすむ。またくもり空でも洗濯物がにわか雨に濡れる心配がなく安心して出かけられる。
【図面の簡単な説明】
【０００７】
【図１】本発明の斜視図
【図２】本発明の実施例を示す斜視図
【図３】本発明の一部であるホールを閉じた状態を示す斜視図
【図４】本発明の一部であるホールを開けた状態を示す斜視図
【発明を実施するための形態】
【０００８】  以下本発明の実施の形態を説明する。
（イ）傘の布地（１）に骨（３）を４５度ぐらいの間隔で７か所に設ける。
（ロ）  １か所を骨（３）の替わりにファスナー（４）にして開閉式にする。
（ハ）中心部に止め具（７）をつけ、対向的な２本の骨（３）の適所に吊り下げ具（２）をつけ、フック（６）で竿（９）に安定させる。
本発明は以上のような構造である。
本発明を使用する時は、物干しハンガー（１０）のハンガー吊り具（８）が傘のホール（５）にくるように入れて竿（９）に吊るし、物干しハンガー（１０）上部まわりを覆い、ファスナー（４）を閉め、とめ具（７）を留める。物干しハンガー用傘を吊り下げ具（２）で竿（９）につけ安定させる。
【符号の説明】
【０００９】１  布地、  ２  吊り下げ具、  ３  骨、  ４  ファスナー、  ５  ホール、  ６  フック、  ７  とめ具、  ８  ハンガー吊り具、  ９  竿、  １０  物干しハンガー
【図１】
2011255132.tif 000003
【図２】
2011255132.tif 000004
【図３】
2011255132.tif 000005
【図４】
2011255132.tif 000006
(57)【要約】【課題】  湿布薬が一人で貼れない場所に、色々な湿布薬の素材、形状や大きさ薬面のシート状態、及び湿布固定テープ貼りなどを一人で簡単に貼ることができることを目的にした。【解決手段】  本発明は、湿布薬を患部に確実に貼るため、患部に本体２が当たるように、位置を自由に決め固定できる様、本体２とメッシュパネル１０を設けることで簡単にできるようにする。そして色々な形状の湿布薬や薬剤面シート、湿布薬固定テープを吸引しスポンジ面に取付けるための吸引機１及びスポンジ６をもうけた。さらに湿布薬が人の肌の凹凸を吸収し、しっかり貼れる様スポンジ６に肌を押し当てることで一人では貼れない所に簡単かつ綺麗に貼れるようにする。【選択図】図４
2011255131.tif 000002
【特許請求の範囲】
【請求項１】
吸引機１等の空気吸引機を本体２に接続し、本体に設置したスポンジ６より湿布剤や固定テープを簡単に固定できるところを特徴とした湿布貼り具
【請求項２】
本体に設置したスポンジ６に固定した湿布剤及び固定テープに、一人では貼り辛い背中、肩、腰等をスポンジ６に押し当てることで、身体の凹凸を吸収し貼ることができ、吸引機１等の吸引機のＯＮ−ＯＦＦ操作にて湿布剤テープの固定を解除することで綺麗に貼れることを特徴とした湿布貼り具。
【請求項３】
本体２に、引っ掛け金具５を付けメッシュパネルに引っ掛けて本体を貼りたい所に合わせて固定することで、必ず貼りたい所に貼る事ができることを特徴とした湿布貼り具。
【請求項４】
本体２にマグネット１３を取り付け金属板１４にて、貼りたい所に合わせて固定することで、必ず貼りたい所に貼る事ができることを特徴とした湿布貼り具。
【請求項５】
本体蓋及び、スポンジ中側途中まで空気穴を設けることによりスポンジ表面で吸引できることを特徴とした湿布貼り具。
【発明の詳細な説明】
【技術分野】
【０００１】本発明は、一人では貼りづらい背中や肩、腰、腿の裏など手を使わずに貼るもので、掃除機やコンプラッサーなどの吸引機を使用し、スポンジ表面で湿布薬を吸いつけ、貼りたい部分にスポンジを押し当てることで、表面の凹凸をスポンジで吸収し、綺麗にはることができる。また位置はメッシュパネルに引掛けたりマグネットで位置を変えることより、貼りたい位置に自由に設置できるようにしたものである。
【背景技術】
【０００２】従来は、片手を使った器具で背中等に湿布薬を貼り付けたり、湿布が落ちないように接面を荒くすることで湿布薬を固定して貼り付けるなどの方法があるが、湿布器具への取付けが難しくしわになりやすい。また湿布が滑る素材等、素材状態や薬剤面のシート状態、素材の大きさ形状の変化に対応できずしわになったり貼れない事がある。さらに片手を使うことで痛くて貼りずらく位置も定まりずらいなどの問題があった。
【先行技術文献】
【０００３】特開２００２−２８２５０号
特開２００９−２０１９５７号
【発明の概要】
【発明が解決しょうとする課題】
【０００４】湿布薬を一人で、貼ろうとした場合片手の届く範囲か、片手で器具を使って痛い所をめがけて貼る為、しわになったり位置がずれたりしてしまう。
また湿布薬を固定するテープ等を貼ることができない。
さらに、器具に湿布薬を取付ける時難しかったり、しわになったりしていた。
本発明は、この課題を解消するためになされたものである。
【課題を解決する為の手段】
【０００５】掃除機、コンプレッサ等の吸引機１を本体２に接続し、本体に付いている滑らかなスポンジ面３より吸引させ、この面を最初に患部にあてメッシュパネル４に本体２を引っ掛けて位置を決めることで、的確に患部に貼ることが出来、位置をきめた後スポンジ面３に固定テープ、湿布薬を吸引させ固定する。吸引させての固定なので、しわになりにくく難しい操作は必要無くおこなえる。貼る時は患部の位置を決めた状態と同じ様に押し当てることで、患部の的確な位置に貼れ、肌の凹凸をスポンジが吸収して、しわにならずに貼る事ができるようにした。
【発明の効果】
【０００６】自分の貼りたい場所を確認して、的確に位置を決め貼る事ができ、貼り位置がずれることはほとんどない。また湿布薬だけでなく、固定用のテープも一人で貼る事ができ、スポンジ表面が滑らかな為、セットする時しわになりにくく容易にセットできる。さらに貼る時は、患部を押し当てるだけなので、本人に痛い思いをさせることなく、スポンジの吸収でしわになり難く貼る事ができる。
【図面の簡単な説明】
【０００７】
【図１】本発明における構成部品とそれを段階ごとに組立設置していく組立立体図である。
【図２】本発明における本体とメッシュパネルを使用した場合の断面図である。
【図３】本発明における本体と金属板を使用した場合の断面図である。
【図４】本発明における使用状態を示す側面図である。
【発明を実施するための形状】
【０００８】以下、本発明の実施の形態について説明する。
図１において本体２の吸入口に吸引器１を取付け、図２の本体蓋３にスポンジ６を取付け穴を途中まで開けスポンジ表面から空気を吸入する。
本体２は引掛け金具５で、メッシュパネル１０に取付ける。メッシュパネル１０は、椅子に固定したり、壁や柱に固定する。
図１もしくは図２のように湿布薬をスポンジ面に吸引して固定する。吸引力の調整は、吸引機１で行うか、本体２の吸気調整弁４を横にスライドして穴の大きさを変えて調整する。図４において、本体２のスポンジ面に湿布薬を固定する前に、患部に当て位置をきめてから、スポンジ面に湿布薬を固定し患部面をスポンジ面に押し当て湿布薬を貼り付けることができる。
【符号の説明】
【０００９】  １  吸引機
２  本体
３  本体蓋
４  吸気調整弁
５  引掛け金具
６  スポンジ
７  空気穴
８  湿布薬
９  テープ
１０  メッシュパネル
１１  椅子
１２  人間
１３  磁石
１４  金属板
【図１】
2011255131.tif 000003
【図２】
2011255131.tif 000004
【図３】
2011255131.tif 000005
【図４】
2011255131.tif 000006
(57)【要約】【課題】アイロンがけをした布部分の熱を素早く除去しないと、シワが戻ってしまい効率が悪い。間接的にアイロン台の通気性に頼り、この熱を除去しているが、直接的に熱を素早く除去することが目的である。【解決手段】アイロンの後部に冷却用のファンを取り付け外気を、アイロンの後部の真下とアイロンの両サイドに吹き付け、残留熱に直接除去できるようにした。【選択図】図１
2011255136.tif 000002
【特許請求の範囲】
【請求項１】
アイロンの後部にファン装置部分▲２▼を付け、アイロン後部の真下とアイロンの両側面を同時に冷却出来るようにした、アイロン。
【発明の詳細な説明】
【技術分野】
【０００１】この発明は、アイロンの後部に冷却ファンを取り付けたアイロンに関するものである。
【背景技術】
【０００２】従来のアイロンは、アイロンがけした布の熱を取るため、アイロン台の通気性を良くしたり、アイロン台に熱を強制的に吸引する為のファンを取り付けたりと、アイロン自体には冷却機能はなく、冷却をアイロン台に頼っていた。
【先行技術文献】
【特許文献】
【０００３】
【特許文献１】
【非特許文献】
【０００４】
【非特許文献１】
【発明の概要】
【発明が解決しようとする課題】
【０００５】本発明は、アイロンがけをした布部分の熱を素早く取り去って、熱の残留によるシワの戻りを無くし、アイロンがけの効率を高めることを課題に研究をすすめた。
【課題を解決するための手段】
【０００６】アイロンがけした布の熱を素早く取るには、アイロン台による間接的な冷却手段ではなく、直接風を吹きかけて冷やす方が効率が良く、アイロンがけの効果も上がることを発見し、アイロン自体に冷却目的のファン装置部分▲２▼を付けた構造を考案した。
【発明の効果】
【０００７】本発明は以上のような、アイロンがけをした部分の熱を素早く冷却する構造であるため、アイロンがけした部分が即決まり、シワの戻りが無く、折り目付けも快適に行うことができた。
【図面の簡単な説明】
【０００８】
【図１】本発明の側面から見た図
【図２】本発明の上面から見た図
【図３】本発明の背面から見た図
【発明を実施するための形態】
【０００９】本発明は、ファン装置部分▲２▼の中に、ファンスイッチ▲１▼によって稼働するファンモーター及びファン▲３▼があり、このファンが外気を吸引し、アイロンの後部下エアー吹き出し口▲４▼とアイロンの両サイドのエアー吹き出し口▲５▼より外気を吹き出し、布の熱を素早く冷却する。
【符号の説明】
【００１０】▲１▼はファン稼働スイッチ  ▲２▼はアイロン後部のファン装置部分  ▲３▼はファンモーター及びファン  ▲４▼は後部下エアー吹き出し口  ▲５▼はアイロン両サイドエアー吹き出し口
【図１】
2011255136.tif 000003
【図２】
2011255136.tif 000004
【図３】
2011255136.tif 000005
(57)【要約】【課題】グリーン上、及び、カップ内のゴルフボールを足腰の屈伸をすること無く容易に拾い上げられるゴルフパタークラブを提供する。【解決手段】ゴルフパターヘッド（１）の底面に穴、又は、欠き込み（２）を設け、ゴルフボールの弾性、或いは、クラブに装着した弾力素材によりボールの落下させず容易に素早く拾い上げる事ができるゴルフパタークラブを特徴とする。【選択図】図２
2011255135.tif 000002
【特許請求の範囲】
【請求項１】
底面の拾いゴルフパターヘッド（１）にゴルフボールの通過デキル穴、又は、欠き込み（２）を設けボールの弾力、あるいは、装着した弾力素材、穴の形状によりボールを落下を防ぎ簡単に素早くボールを拾い上げることができる。
【発明の詳細な説明】
【技術分野】
【０００１】この発明は、底面の広いゴルフパターにボールの通過出来る穴、又は刻みを設け足腰の屈伸を必要とせず、ボールを拾い上げることのできるゴルフパタークラブに関するものである。
【背景技術】
【０００２】従来、ボールを掬い上げのできるもの。機械的な操作によりボールを捕まえ拾い上げるもの。ゴルフパターのグリップ部分に装置を装着・脱着するもの等が有った。
【先行技術文献】
【０００３】
【特許文献１】特許公開２００８−８００８４
【特許文献】
【特許文献】特許公開２００８−１７３４３１
【特許文献】特許公開平９−２０６４１５
【特許文献】特許公開平７−２３６７０９
【発明の概要】
【発明が解決しようとする課題】
【０００４】ゴルフ人口の増加と共に、老若男女、障害の有無を問わずゴルフを楽しむようになりました。カップインをしたボール、グリーン上のオーケーボールを拾い上げるに足腰の痛みや体の障害、女性の服装でミニスカート等により他のゴルファーの視線が気になり、ボールの拾い上げに抵抗を感じた事は総てのゴルファーが少なからず経験しています。
本発明は、これらの悩み、ゴルフプレーの進行に効果的で、スムーズにボールを拾い上げられる様に考慮したものです。
【課題を解決するための手段】
【０００５】ゴルフパターヘッドに（１）にゴルフボールの通過出来る穴、又は欠き込み（２）を設け、ボールの弾力、或いはパターヘッドに装着、接着、埋め込みをした弾力素材、スプリング挿入のベアリング（３）等により、ボールの落下を防ぎゴルフボールを容易に拾い上げる事のできるゴルフパターである。
【発明の効果】
【０００６】従来の、ゴルフパターと何ら変わりなく、ゴルフルール、ゴルフプレーに支障なく使用でき、足腰の屈伸を必要とせずグリーン上、又は、カップの中のボールを素早く拾い上げるこ事ができゴルフプレーの円滑進行にも有効である。
【図面の簡単な説明】
【０００７】
【図１】本発明の平面図である。
【図２】本発明の断面図である。
【発明を実施するための形態】
【０００８】以下、本発明を実施するための最良の形態について説明する。
１  ゴルフパターヘッドの底面（１）にボールの通過できるボールの直径より若干狭い穴、又は、刻み込み（２）を設ける。若干狭い穴、欠き込み部はボールの弾力により通過する、ボールはボール素材の弾力により、即座に元の形状に復元しボールは落下しない構造である。
２  ゴルフパターヘッドの底面（１）にボールより若干大きめの穴、又は、欠き込み（２）を設ける。ゴルフパターのボールの通過する部分に弾力素材、スプリング挿入のベアリング（３）をボールの直径より若干狭くなるよう装着する。ボールは装着された弾力素材、スプリング入りベアリングの復元によりゴルフボールは落下しない構造である。
本発明は、以上のような構造である。
これを使用するれば、足腰の屈伸を必要とせず、容易にゴルフボールを拾い上げることができる。
【符号の説明】
【０００９】１  ゴルフパターヘッド
２  ボール通過部分の穴、又は、欠き込み
３  弾力素材、スプリング入りベアリング
４  ゴルフボール
５  ゴルフパタークラブのシャフト
【図１】
2011255135.tif 000003
【図２】
2011255135.tif 000004
(57)【要約】【課題】  大掛かりな準備や打ち合わせ、協力者を必要とせず、手軽に対象者を驚かせ、ドッキリを仕掛けることが出来る玩具を提供すること。【解決手段】  一見して本物のスクラッチ宝くじのように見え、手軽に持ち運ぶことが可能で、特別な技能を必要としない本発明の玩具は、対象者がその場で高額当選の疑似体験をすることが出来、使用者はその反応を見て楽しむことが出来る。【選択図】図１
2011255147.tif 000002
【特許請求の範囲】
【請求項１】
スクラッチ式の宝くじを模した玩具であって、対象者に宝くじの当選を疑似体験させることが出来る特徴を持ったスクラッチカード式玩具。
【請求項２】
台紙の表面に１つ又は複数の目印を有し、この目印によって所有者が複数のカードの中から当たりを見分けることが出来、対象者に気づかれることなく当選くじを引かせることの出来る請求項１の玩具。
【請求項３】
台紙の背面にこの玩具の目的を記載し、当選金を受け取ることが出来ないことを明確にすることで、対象者の反応を楽しむことが出来る請求項１又は請求項２に記載の玩具。
【発明の詳細な説明】
【技術分野】
【０００１】  本発明は、スクラッチ式の宝くじを模した紙製の玩具に関する。
【背景技術】
【０００２】  昨今、テレビの娯楽番組などで特定の人物を対象とし、様々なハプニングを意図的に起こし反応を楽しむ、いわゆるドッキリと呼ばれる手法が用いられる。
【発明の概要】
【発明が解決しようとする課題】
【０００３】  従来、この手法を用いるには大掛かりなセットや協力者、長い時間を必要としていた為、個人が手軽に楽しむことは難しかった。下準備を必要とせず手軽に対象者を驚かせることが出来る玩具の提供すること。
【課題を解決するための手段】
【０００４】  上記課題を解決するために、手軽に持ち運ぶことが可能で、特別な技能を必要としない請求項１記載の玩具は、一見して本物の宝くじのように見え、対象者はその場で高額当選の疑似体験をすることが出来、使用者はその反応を楽しむことが出来る。【０００５】  請求項２記載の目印により、所有者自らがはずれを削り、対象者に見せることで真実味を持たせることが出来る。【０００６】  請求項３記載の背面の文章を対象者に読ませることで種明かしが出来、再度反応を楽しむことが出来る。
【発明の効果】
【０００７】  請求項１に記載されている本発明によれば、大掛かりな準備を必要とせずに、誰でも手軽にドッキリを仕掛けることが出来、会合やパーティーなどで、大いに盛り上げることが出来る。
【図面の簡単な説明】
【０００８】
【図１】  本発明の表面図である。
【符号の説明】
【０００９】  １…台紙
２…スクラッチ部
３…当たり目印
【発明を実施するための形態】
【００１０】  本発明を実施するための最良の形態の玩具は、デザイン上不自然さのない当たり目印３を印刷した当たりくじ１枚と、所有者自らが削って対象者に見せるハズレくじ数枚を一組とする玩具。
【実施例】
【００１１】  以下、本発明の実施例を図に基づいて詳説する。
所有者は、当たり目印３を頼りにハズレくじ数枚を対象者の目の前でスクラッチ部２を削って見せ、興味を持たせる。その後、対象者に「当たる気がしないからあげる」と当たりくじを譲渡する。【００１２】  対象者がスクラッチ部２を削って当たりを確認し、周囲を巻き込みひとしきり盛り上がったところで、台紙１の背面を読ませ種明かしをする。
【図１】
2011255147.tif 000003
(57)【要約】【目的】  両サイドにハンガーベルト、一方に背もたれベルト、持ち上げる時の補助ベルトを備えた座布団を被介護者の座に常時敷いて、寝る時、起きる時、乗り移る時、腰掛ける時、立ち上がる時あらゆる時に腰の下敷きに使用する事で、介護の安全と労わりを援助出来る。介護マットとの併用でより一層の効果が生まれる。【構成】  適度の弾力性を保持する座布団に、人一人持ち上げるに十分なベルトを両サイドに配し、持ち上げる時の安定の為の背もたれ、持ち上げる力の補助の為の肩がけ補助ベルトで介護者一人でも安全且つ労わりの無理のない持ち上げ、移動、乗り移りの、介添え・介護が出来る構造になっている。【選択図】図５
2011255144.tif 000002
【特許請求の範囲】
【請求項１】
座布団とマットに安全に抱き上げる為のベルト、背もたれの為のベルト、肩掛け補助ベルトを取り付けて、常時、介護専用座布団、マットとして被介護者の安全と介護人の手助けを目的とするマット座布団
【発明の詳細な説明】
【発明の詳細な説明】
【産業上の利用分野】
【００１】  医療機関、介護施設、家庭に於ける介添え・介護の際、座布団の両サイドに抱き上げる為のベルトと背もたれベルト、肩掛け補助ベルトで被介護者を椅子に、車椅子に、車両に、ベッドに、より安全に移す事が出来るので平常の介護、災害や緊急事故など時と場所を問わず活用できる。
【背景技術】
【００２】  介添え・介護・救急時抱きかかえたり、担架で移動の為、不安・過労力が常に伴う為に大変不便で負担になっている。特に抱き上げるのに大変な苦労が伴っている。
【発明が解決しようとする課題】
【００３】  介護・救急時に一人で安全にかつ、手際よく被介添え・介護者を椅子へ、ベッドへ車へ移動出来る為の用具があれば、様々な状況に活用が出来る。
【課題を解決する為の手段】
【００４】  座布団の両サイドに、抱き上げるに十分なベルトとそれに背もたれベルト、肩掛け補助ベルトを装備した介護用座布団を常時使用する。マットを併せ常備常用する。
【作用】
【００５】  被介護者の前後左右どの方向からでも、持ち上げることが出来るので、常時下に敷いた状態で使用が出来るので移動がより安全で双方の負担が少ない。
【実施例と効果】
【００６】  日常、介護施設、家庭での在宅介護、医療機関などで当該座布団を被介護者専用として常時、座に使用することにより、ベッドに椅子に車椅子に、持ち上げ・移動・乗り移り、の際介護者も被介護者も効率よく、より安全にいたわり心も配ることが出来る。
【図面の簡単な説明】
【００７】
【図１】  介護座布団下面姿図
【図２】  介護座布団上面姿図
【図３】  介護座布団正面姿図
【図４】  座のカバー姿図
【図５】  介護座布団全体姿図
【図６】  介護マット上面姿図
【図７】  搬送用パイプ姿図
【図８】  介護マット下面姿図
【図９】  座のカバー姿図
【符号の説明】１    介護座布団座下面
２    介護座布団座上面
３    介護座布団右ハンガーベルト
４    介護座布団右肩掛け補助ベルトフックホルダー
５    介護座布団背もたれベルト
６    介護座布団左肩掛け補助ベルトフックホルダー
７    介護座布団左ハンガーベルト
８    介護座布団補助ベルトパッド
９    介護座布団肩掛け補助ベルトフック右
１０  介護座布団肩掛け補助ベルトフック左
１１  介護座布団補助ベルト
１２  介護座布団座カバー
１３  ホック
１４  介護マット上面
１５  介護マット下面
１６  パイプ差込穴右
１７  パイプ差込穴左
１８  ハンガーベルト
１９  ハンガーパイプ右
２０  ハンガーパイプ左
２１  介護マット座カバー
２２  ホック
【図１】
2011255144.tif 000003
【図２】
2011255144.tif 000004
【図３】
2011255144.tif 000005
【図４】
2011255144.tif 000006
【図５】
2011255144.tif 000007
【図６】
2011255144.tif 000008
【図７】
2011255144.tif 000009
【図８】
2011255144.tif 000010
【図９】
2011255144.tif 000011